(57)【要約】【課題】  液晶表示部等のプレビュー装置を記録装置に設けることなく、容易かつ確実にユーザが所望する切り出し範囲で拡大したデジタル画像のダイレクトプリントを実行することが可能な記録装置を提供する。【解決手段】  各サムネール画像ＳＭは、選択された画像データの縮小画像に切り出し範囲を示す切り出し線ＣＡがサムネール画像ＳＭ毎に異なる切り出し拡大パターンで付加されており、切り出し線ＣＡ毎に識別番号Ａ１〜Ａ１８が付されている。奇数の識別番号が付されている切り出し線ＣＡは、拡大率が１．５倍とした場合の切り出し範囲、偶数の識別番号が付されている切り出し線ＣＡは、拡大率が１．２倍の切り出し範囲となっている。ユーザは、識別番号Ａ１〜Ａ１８で示された１８通りの切り出し拡大パターンの中からの所望の切り出し拡大パターンを選択して記録を実行する。【選択図】図９
2005224944.tif 000002
【特許請求の範囲】
【請求項１】
外部から記録データを入力する記録データ入力手段と、記録データに基づいて被記録材への記録を実行する記録実行手段と、該記録実行手段の操作及び設定を入力するための設定入力手段と、該設定入力手段によって入力された操作及び設定に基づいて前記記録実行手段の制御を実行する制御装置とを備えた記録装置であって、
前記制御装置は、前記記録データ入力手段にて入力した画像記録データを記憶媒体へ格納する記録データ格納手段と、
前記記憶媒体に格納されている画像記録データの中から選択された画像記録データの画像全体の一部を切り出し拡大して被記録材へ記録した場合の切り出し位置及び拡大率が異なる複数のサムネール画像を前記設定入力手段にて入力可能な識別情報を各サムネール画像に付加して被記録材へ所定の様式で記録してサムネール画像シートを作成するための記録データを生成するサムネール画像シート記録データ生成手段と、
前記サムネール画像シートの中から選択されたサムネール画像に対応した切り出し拡大パターンにて、前記記憶媒体に格納されている画像記録データの中から選択された画像記録データの切り出し拡大処理を実行する画像処理手段とを有し、
前記記憶媒体に格納されている画像記録データの中から前記設定入力手段によって選択された画像記録データのサムネール画像シートを作成し、当該サムネール画像シートを作成した後、前記設定入力手段により入力された識別情報に対応したサムネール画像の切り出し拡大パターンにて、前記設定入力手段によって選択された画像記録データの記録を実行する、ことを特徴とした記録装置。
【請求項２】
外部から記録データを入力する記録データ入力手段と、記録データに基づいて被記録材への記録を実行する記録実行手段と、該記録実行手段の操作及び設定を入力するための設定入力手段と、画像が記録されている被記録材の画像記録面を走査して画像を入力する画像入力手段と、前記設定入力手段によって入力された操作及び設定に基づいて前記記録実行手段及び前記画像入力手段の制御を実行する制御装置とを備えた記録装置であって、
前記制御装置は、前記記録データ入力手段にて入力した画像記録データを記憶媒体へ格納する記録データ格納手段と、
前記記憶媒体に格納されている画像記録データの中から選択された画像記録データの画像全体の一部を切り出し拡大して被記録材へ記録した場合の切り出し位置及び拡大率が異なる複数のサムネール画像、及び複数のサムネール画像中から所望のサムネール画像を選択するためのマーキングエリアを被記録材へ所定の様式で記録してサムネール画像シートを作成するための記録データを生成するサムネール画像シート記録データ生成手段と、
前記サムネール画像シートの中から選択されたサムネール画像に対応した切り出し拡大パターンにて、前記記憶媒体に格納されている画像記録データの中から選択された画像記録データの切り出し拡大処理を実行する画像処理手段とを有し、
前記記憶媒体に格納されている画像記録データの中から前記設定入力手段によって選択された画像記録データのサムネール画像シートを作成し、当該サムネール画像シートを作成した後、マーキングされた前記サムネール画像シートを前記画像入力装置にて入力して前記マーキングエリアのマーキング状態を検出し、マーキングによって選択されたサムネール画像の切り出し拡大パターンにて、前記設定入力手段によって選択された画像記録データの記録を実行する、ことを特徴とした記録装置。
【請求項３】
請求項２において、前記マーキングエリアは、前記設定入力手段によって選択された画像記録データの記録実行枚数を設定可能な構成を有している、ことを特徴とした記録装置。
【請求項４】
請求項２又は３において、前記マーキングエリアは、マーキング枠のマーキングを無効にするためのキャンセル用マーキング枠を有している、ことを特徴とした記録装置。
【請求項５】
請求項１〜４のいずれか１項において、前記サムネール画像は、前記記憶媒体に格納されている画像記録データの中から選択された画像記録データの縮小画像に切り出し範囲を示す切り出し線がサムネール画像毎に異なる切り出し拡大パターンで付加されている、ことを特徴とした記録装置。
【請求項６】
請求項５において、前記サムネール画像は、複数の異なる拡大率の前記切り出し線が１つの前記サムネール画像に付加されている、ことを特徴とした記録装置。
【請求項７】
請求項１〜６のいずれか１項において、前記サムネール画像シートには、記録実行可能な全ての切り出し拡大パターンのサムネール画像が記録される、ことを特徴とした記録装置。
【請求項８】
請求項５〜７のいずれか１項において、前記サムネール画像シート記録データ生成手段は、画像の左辺と上辺の交点を基点とした第１の切り出し拡大パターン、画像の上辺の中点を基点とした第２の切り出し拡大パターン、画像の右辺と上辺の交点を基点とした第３の切り出し拡大パターン、画像の左辺の中点を基点とした第４の切り出し拡大パターン、画像の中心点を基点とした第５の切り出し拡大パターン、画像の右辺の中点を基点とした第６の切り出し拡大パターン、画像の左辺と下辺の交点を基点とした第７の切り出し拡大パターン、画像の下辺の中点を基点とした第８の切り出し拡大パターン、及び画像の右辺と下辺の交点を基点とした第９の切り出し拡大パターンから成る９つの切り出し拡大パターンの前記サムネール画像が記録されるサムネール画像シートの記録データを生成する、ことを特徴とした記録装置。
【請求項９】
請求項８において、前記サムネール画像シート記録データ生成手段は、前記記憶媒体に格納されている画像記録データの中から選択された画像記録データの縮小画像の画像データと、前記縮小画像に前記切り出し線を付加するフレームデータとを合成して生成した前記サムネール画像を生成し、前記サムネール画像シートの様式に基づいて配置するオブジェクト情報を生成するオブジェクト情報生成手段を有し、
前記オブジェクト情報生成手段は、前記縮小画像データと合成する際の前記フレームデータの回転角度を設定する回転角度情報をセットする手段と、前記縮小画像の縦横比及びサイズに応じて前記フレームデータの縦横比及びサイズを設定するパラメータ情報をセットする手段とを有し、
前記回転角度情報を９０°ずつ変えて前記縮小画像と合成することによって、前記第１の切り出し拡大パターン、前記第３の切り出し拡大パターン、前記第７の切り出し拡大パターン、及び前記第９の切り出し拡大パターンの前記サムネール画像を生成することができる第１のフレームデータと、前記回転角度情報を９０°ずつ変えて前記縮小画像と合成することによって、前記第２の切り出し拡大パターン、前記第４の切り出し拡大パターン、前記第６の切り出し拡大パターン、及び前記第８の切り出し拡大パターンの前記サムネール画像を生成することができる第２のフレームデータと、前記縮小画像と合成することによって前記第５の切り出し拡大パターンの前記サムネール画像が生成される第３のフレームデータとを取得し、
前記第１のフレームデータ、前記第２のフレームデータ、及び前記第３のフレームデータから前記第１の切り出し拡大パターン〜前記第９の切り出し拡大パターンの前記サムネール画像データを生成するオブジェクト情報を生成する、ことを特徴とした記録装置。
【請求項１０】
請求項５〜９のいずれか１項において、前記サムネール画像シート記録データ生成手段は、
前記記憶媒体に格納されている画像記録データの中から選択された画像記録データに縮小画像が含まれているか否かを判定し、縮小画像が含まれている場合には、画像記録データに含まれている縮小画像の縦横比と画像記録データの本画像の縦横比とが一致しているか否かを判定し、縦横比が略一致している場合には、画像記録データに含まれている縮小画像から前記サムネール画像を生成し、画像記録データに縮小画像が含まれていない場合、或いは、画像記録データに含まれている縮小画像の縦横比と画像記録データの本画像の縦横比とが一致しない場合には、画像記録データの本画像から縮小画像を生成し、生成した縮小画像から前記サムネール画像を生成する、ことを特徴とした記録装置。
【請求項１１】
請求項１〜１０のいずれか１項において、前記制御装置は、前記記憶媒体に格納されている画像記録データの中から選択された画像記録データに含まれる色空間指定情報に基づいて、前記画像処理手段に対して指定する色空間テーブルデータを選択する色空間選択手段を有している、ことを特徴とした記録装置。
【発明の詳細な説明】
【技術分野】
【０００１】
本発明は、外部から記録データを入力する記録データ入力手段と、記録データに基づいて被記録材への記録を実行する記録実行手段と、該記録実行手段の操作及び設定を入力するための設定入力手段と、該設定入力手段によって入力された操作及び設定に基づいて前記記録実行手段の制御を実行する制御装置とを備えた記録装置おける画像データの切り出し拡大記録に関する。
【背景技術】
【０００２】
インクジェット式記録装置等の記録装置の一例として、デジタルカメラで撮影したデジタル画像等を記録紙等の被記録材へ記録する際には、デジタルカメラと記録装置とを直接接続してデジタルカメラの内部メモリ等に保存されているデジタル画像を直接記録装置に転送して記録を実行したり、デジタル画像が保存されているメモリカード等を記録装置のメモリカードスロットに挿入してメモリカードに保存されている画像データを記録装置が直接読み取って記録を実行したりすることが可能ないわゆる「ダイレクトプリント」機能を有するものが公知である。このような記録装置は、パーソナルコンピュータ等の情報処理装置を介することなくデジタル画像の記録を気軽に素早く実行できるというメリットがある反面、パーソナルコンピュータにおいて色彩や明度を調整したり、或いは、画像の任意の部分を切り出して拡大したりする等のデジタル画像処理ができないという課題があった。
【０００３】
このような課題を解決した従来技術の一例としては、画像のプレビュー表示か可能な小さな液晶表示部を備えたインクジェット式記録装置が公知である。当該インクジェット式記録装置は、記録を実行するデジタル画像を液晶表示部で調節確認しながら記録を実行できるとともに、デジタル画像の一部を切り出し拡大して記録する際の切り出し範囲を液晶表示部に表示されたデジタル画像上で指定することが可能になっている。また、他の従来技術の一例としては、デジタル画像のカスタム・オーダ・フォームを印刷して作成し、そのカスタム・オーダ・フォーム上のマーキングによってユーザが所望のクロッピング範囲（切り出し範囲）を指定し、マーキング後のカスタム・オーダ・フォームを記録装置のスキャナ部で読み込んで、マーキングにより指定したデジタル画像の切り出し範囲を拡大して記録を実行することが可能な記録装置が公知である（例えば、特許文献１を参照）。
【０００４】
【特許文献１】特開２００２−３０５７０１号公報
【発明の開示】
【発明が解決しようとする課題】
【０００５】
しかしながら、上述した画像のプレビュー表示か可能な小さな液晶表示部を備えたインクジェット式記録装置においては、液晶表示部に表示されるのが設定可能な複数の切り出し範囲設定うち１つの切り出し範囲設定によるプレビュー画像のみしか表示されないため、設定可能な複数の切り出し範囲の設定を切換ながら確認しなければならず、設定可能な複数の切り出し範囲設定による複数のプレビュー画像をユーザが同時に目で比較検討しながら選択することができない。そのためユーザが所望する最適な切り出し範囲を設定することがやや難しい面があった。さらに、記録装置の上述したような液晶表示部を設けると記録装置のコストが大幅に上昇してしまうという課題が生じる。また、カスタム・オーダ・フォーム上のマーキングによってユーザが所望のクロッピング範囲（切り出し範囲）を指定する記録装置においては（例えば特許文献１を参照）、クロッピング（切り出し）後のプレビュー画像をユーザが目で確認することができず、クロッピング範囲の境界近傍において、所望の範囲でクロッピングされるか否かがユーザに分かりにくいという課題が生じる。そのため、切り出し範囲を指定してデジタル画像の拡大記録を実行した後、その実行結果とユーザが所望していた記録実行結果とが一致しない虞があった。
【０００６】
本発明は、このような状況に鑑み成されたものであり、その課題は、液晶表示部等のプレビュー装置を記録装置に設けることなく、容易かつ確実にユーザが所望する切り出し範囲で拡大したデジタル画像のダイレクトプリントを実行することが可能な記録装置を提供することにある。
【課題を解決するための手段】
【０００７】
上記課題を達成するため、本発明の第１の態様は、外部から記録データを入力する記録データ入力手段と、記録データに基づいて被記録材への記録を実行する記録実行手段と、該記録実行手段の操作及び設定を入力するための設定入力手段と、該設定入力手段によって入力された操作及び設定に基づいて前記記録実行手段の制御を実行する制御装置とを備えた記録装置であって、前記制御装置は、前記記録データ入力手段にて入力した画像記録データを記憶媒体へ格納する記録データ格納手段と、前記記憶媒体に格納されている画像記録データの中から選択された画像記録データの画像全体の一部を切り出し拡大して被記録材へ記録した場合の切り出し位置及び拡大率が異なる複数のサムネール画像を前記設定入力手段にて入力可能な識別情報を各サムネール画像に付加して被記録材へ所定の様式で記録してサムネール画像シートを作成するための記録データを生成するサムネール画像シート記録データ生成手段と、前記サムネール画像シートの中から選択されたサムネール画像に対応した切り出し拡大パターンにて、前記記憶媒体に格納されている画像記録データの中から選択された画像記録データの切り出し拡大処理を実行する画像処理手段とを有し、前記記憶媒体に格納されている画像記録データの中から前記設定入力手段によって選択された画像記録データのサムネール画像シートを作成し、当該サムネール画像シートを作成した後、前記設定入力手段により入力された識別情報に対応したサムネール画像の切り出し拡大パターンにて、前記設定入力手段によって選択された画像記録データの記録を実行する、ことを特徴とした記録装置である。
【０００８】
外部から記録データを入力する記録データ入力手段は、例えば、記録装置に直接接続されたデジタルカメラの内部メモリから記録データを入力する手段、又は記録装置に設けられたメモリカードスロットに挿入されたメモリカードから記録データを入力する手段等であり、情報処理装置を介さないで記録データを直接記録装置へ入力する手段である。設定入力手段は、例えば、一般的なインクジェット式記録装置等の前面に設けられている操作ボタン等である。記録データ入力手段によって入力された記録データは、記憶媒体に格納され、記憶媒体に格納されている画像記録データの中からユーザに選択された画像記録データを切り出し拡大して記録した場合のサムネール画像を異なる切り出し拡大パターンで複数作成して所定の様式で配置したサムネール画像シートが作成される。ここで、サムネール画像とは、プレビュー用に画像サイズを縮小した画像のことであり、サムネール画像シートには、縮小画像による異なる切り出し拡大パターンが所定の様式で配置されることになる。そして、ユーザがサムネール画像シートの複数のサムネール画像から所望の切り出し拡大パターンのサムネール画像を選択し、選択したサムネール画像に対応した識別情報を設定入力手段から入力して記録を実行することによって、所望の切り出し拡大パターンにて選択した画像データの記録を実行することができる。このように、サムネール画像シート上の複数のサムネール画像からユーザが所望の切り出し拡大パターンのサムネール画像を選択するので、ユーザがサムネール画像シートの複数のサムネール画像を同時に目で確認しながら比較検討して所望の切り出し拡大パターンを選択して記録を実行することができる。
【０００９】
これにより、本発明の第１の態様に示した記録装置によれば、ユーザがサムネール画像シートの複数のサムネール画像を同時に目で確認しながら比較検討して所望の切り出し拡大パターンを選択して記録を実行することができるので、液晶表示部等のプレビュー装置を記録装置に設けることなく、容易かつ確実にユーザが所望する切り出し範囲で拡大したデジタル画像のダイレクトプリントを実行することが可能になるという作用効果が得られる。
【００１０】
本発明の第２の態様は、外部から記録データを入力する記録データ入力手段と、記録データに基づいて被記録材への記録を実行する記録実行手段と、該記録実行手段の操作及び設定を入力するための設定入力手段と、画像が記録されている被記録材の画像記録面を走査して画像を入力する画像入力手段と、前記設定入力手段によって入力された操作及び設定に基づいて前記記録実行手段及び前記画像入力手段の制御を実行する制御装置とを備えた記録装置であって、前記制御装置は、前記記録データ入力手段にて入力した画像記録データを記憶媒体へ格納する記録データ格納手段と、前記記憶媒体に格納されている画像記録データの中から選択された画像記録データの画像全体の一部を切り出し拡大して被記録材へ記録した場合の切り出し位置及び拡大率が異なる複数のサムネール画像、及び複数のサムネール画像中から所望のサムネール画像を選択するためのマーキングエリアを被記録材へ所定の様式で記録してサムネール画像シートを作成するための記録データを生成するサムネール画像シート記録データ生成手段と、前記サムネール画像シートの中から選択されたサムネール画像に対応した切り出し拡大パターンにて、前記記憶媒体に格納されている画像記録データの中から選択された画像記録データの切り出し拡大処理を実行する画像処理手段とを有し、前記記憶媒体に格納されている画像記録データの中から前記設定入力手段によって選択された画像記録データのサムネール画像シートを作成し、当該サムネール画像シートを作成した後、マーキングされた前記サムネール画像シートを前記画像入力装置にて入力して前記マーキングエリアのマーキング状態を検出し、マーキングによって選択されたサムネール画像の切り出し拡大パターンにて、前記設定入力手段によって選択された画像記録データの記録を実行する、ことを特徴とした記録装置である。
【００１１】
ここで、画像入力装置とは、例えば、一般的なスキャナ等の画像読み取り装置である。記録データ入力手段によって入力された記録データは、記憶媒体に格納され、記憶媒体に格納されている画像記録データの中からユーザに選択された画像記録データを切り出し拡大して記録した場合のサムネール画像を異なる切り出し拡大パターンで複数作成して所定の様式で配置したサムネール画像シートが作成される。ユーザがサムネール画像シートの複数のサムネール画像から所望の切り出し拡大パターンのサムネール画像を選択し、サムネール画像シートのマーキングエリアに選択したサムネール画像に対応したマーキングを行い、マーキングされたサムネール画像シートを画像入力装置にて入力してマーキングエリアのマーキング状態を検出する。そして、画像入力装置にて検出されたマーキングエリアのマーキングによって選択されているサムネール画像の切り出し拡大パターンにて記録を実行する。それによって、所望の切り出し拡大パターンにて選択した画像データの記録を実行することができる。このように、サムネール画像シート上の複数のサムネール画像からユーザが所望の切り出し拡大パターンのサムネール画像を選択するので、ユーザがサムネール画像シートの複数のサムネール画像を同時に目で確認しながら比較検討して所望の切り出し拡大パターンを選択して記録を実行することができる。
【００１２】
これにより、本発明の第２の態様に示した記録装置によれば、ユーザがサムネール画像シートの複数のサムネール画像を同時に目で確認しながら比較検討して所望の切り出し拡大パターンを選択して記録を実行することができるので、液晶表示部等のプレビュー装置を記録装置に設けることなく、容易かつ確実にユーザが所望する切り出し範囲で拡大したデジタル画像のダイレクトプリントを実行することが可能になるという作用効果が得られる。
【００１３】
本発明の第３の態様は、前述した第２の態様において、前記マーキングエリアは、前記設定入力手段によって選択された画像記録データの記録実行枚数を設定可能な構成を有している、ことを特徴とした記録装置である。このように、記録実行枚数を設定するマーキング枠がマーキングエリアに設けられているので、選択された画像データの拡大切り出しパターンの選択のみならず、その記録実行枚数まで同時に設定することができる。
【００１４】
本発明の第４の態様は、前述した第２の態様又は第３の態様において、前記マーキングエリアは、マーキング枠のマーキングを無効にするためのキャンセル用マーキング枠を有している、ことを特徴とした記録装置である。
【００１５】
このように、マーキングエリアにマーキングを無効にするためのキャンセル用マーキング枠が設けられているので、例えば、所望の切り出し拡大パターンのサムネール画像を選択してマーキングをした後、他の切り出し拡大パターンに変更しようとした場合には、マーキングエリアにマーキングを無効にするキャンセル用マーキング枠が設けられていないと、ボールペン等でマーキングをした場合には、マーキングを消すことができないので、再度サムネール画像シートを作成しなければならないことになる。そこで、マーキングエリアにマーキングを無効にするキャンセル用マーキング枠を設けておくことによって、最初に選択したサムネール画像のマーキングのキャンセル用マーキング枠をマーキングして無効にすることができるので、サムネール画像シートを再度作成することなく新たに他のサムネール画像をマーキングによって選択して記録を実行することができる。
【００１６】
本発明の第５の態様は、前述した第１の態様〜第４の態様のいずれかにおいて、前記サムネール画像は、前記記憶媒体に格納されている画像記録データの中から選択された画像記録データの縮小画像に切り出し範囲を示す切り出し線がサムネール画像毎に異なる切り出し拡大パターンで付加されている、ことを特徴とした記録装置である。
【００１７】
このように、各サムネール画像は、選択された画像データの縮小画像に切り出し範囲を示す切り出し線がサムネール画像毎に異なる切り出し拡大パターンで付加されているので、サムネール画像シートの記録データの生成が容易になる。つまり、サムネール画像シートは、選択された画像データを縮小しただけの画像を切り出し拡大パターンの数だけ複製して所定の様式で配置し、各サムネール画像に切り出し範囲を示す切り出し線をサムネール画像毎に異なる切り出し拡大パターンで付加するだけなので、切り出し拡大パターン毎に画像データを切り出し拡大処理してから縮小してサムネール画像データを生成する必要がない。したがって、サムネール画像シートの記録データの生成が単純かつ容易にすることができ、サムネール画像シートの記録データを生成する際の処理負荷が低減され、記録データの生成時間も短縮することが可能になるという作用効果が得られる。また、このような切り出し線で切り出し拡大パターンを示すことによって、切り出し範囲外の画像も見ることができるので、より的確に所望の切り出し拡大パターンを選択することが可能になるという作用効果が得られる。
【００１８】
本発明の第６の態様は、前述した第５の態様において、前記サムネール画像は、複数の異なる拡大率の前記切り出し線が１つの前記サムネール画像に付加されている、ことを特徴とした記録装置である。  
このように、複数の異なる拡大率の切り出し線が１つのサムネール画像に付加されていることによって、異なる拡大率を同時に見ながら比較検討することができるので、より的確に所望の拡大率の選択が可能になるという作用効果が得られる。
【００１９】
本発明の第７の態様は、前述した第１の態様〜第６の態様のいずれかにおいて、前記サムネール画像シートには、記録実行可能な全ての切り出し拡大パターンのサムネール画像が記録される、ことを特徴とした記録装置である。
【００２０】
このように、サムネール画像シートには、記録実行可能な全ての切り出し拡大パターンのサムネール画像が記録されるので、設定可能な全ての切り出し拡大パターンを同時に目で確認しながらユーザが所望の切り出し拡大パターンを選択することができ、それによって、より的確に所望の切り出し拡大パターンで選択した画像データの記録を実行することが可能になる。
【００２１】
本発明の第８の態様は、前述した第５の態様〜第７の態様のいずれかにおいて、前記サムネール画像シート記録データ生成手段は、画像の左辺と上辺の交点を基点とした第１の切り出し拡大パターン、画像の上辺の中点を基点とした第２の切り出し拡大パターン、画像の右辺と上辺の交点を基点とした第３の切り出し拡大パターン、画像の左辺の中点を基点とした第４の切り出し拡大パターン、画像の中心点を基点とした第５の切り出し拡大パターン、画像の右辺の中点を基点とした第６の切り出し拡大パターン、画像の左辺と下辺の交点を基点とした第７の切り出し拡大パターン、画像の下辺の中点を基点とした第８の切り出し拡大パターン、及び画像の右辺と下辺の交点を基点とした第９の切り出し拡大パターンから成る９つの切り出し拡大パターンの前記サムネール画像が記録されるサムネール画像シートの記録データを生成する、ことを特徴とした記録装置である。
【００２２】
このように、画像の４つの角を基点とした４つの切り出し拡大パターンのサムネール画像、画像の４つの辺の中点を基点とした４つの切り出し拡大パターンのサムネール画像、及び画像の中心点を基点とした切り出し拡大パターンのサムネール画像の９つの異なる切り出し拡大パターンの前記サムネール画像が記録されたサムネール画像シートによって、ユーザが最もイメージに近い切り出し拡大パターンを選択して記録を実行することができる。
【００２３】
本発明の第９の態様は、前述した第８の態様において、前記サムネール画像シート記録データ生成手段は、前記記憶媒体に格納されている画像記録データの中から選択された画像記録データの縮小画像の画像データと、前記縮小画像に前記切り出し線を付加するフレームデータとを合成して生成した前記サムネール画像を生成し、前記サムネール画像シートの様式に基づいて配置するオブジェクト情報を生成するオブジェクト情報生成手段を有し、前記オブジェクト情報生成手段は、前記縮小画像データと合成する際の前記フレームデータの回転角度を設定する回転角度情報をセットする手段と、前記縮小画像の縦横比及びサイズに応じて前記フレームデータの縦横比及びサイズを設定するパラメータ情報をセットする手段とを有し、前記回転角度情報を９０°ずつ変えて前記縮小画像と合成することによって、前記第１の切り出し拡大パターン、前記第３の切り出し拡大パターン、前記第７の切り出し拡大パターン、及び前記第９の切り出し拡大パターンの前記サムネール画像を生成することができる第１のフレームデータと、前記回転角度情報を９０°ずつ変えて前記縮小画像と合成することによって、前記第２の切り出し拡大パターン、前記第４の切り出し拡大パターン、前記第６の切り出し拡大パターン、及び前記第８の切り出し拡大パターンの前記サムネール画像を生成することができる第２のフレームデータと、前記縮小画像と合成することによって前記第５の切り出し拡大パターンの前記サムネール画像が生成される第３のフレームデータとを取得し、前記第１のフレームデータ、前記第２のフレームデータ、及び前記第３のフレームデータから前記第１の切り出し拡大パターン〜前記第９の切り出し拡大パターンの前記サムネール画像データを生成するオブジェクト情報を生成する、ことを特徴とした記録装置である。
【００２４】
このように、オブジェクト情報を生成するオブジェクト情報生成手段にフレームデータの回転機能を持たせ、縮小画像の縦横比及びサイズに応じてフレームデータの縦横比及びサイズを変更することによって、少ないフレームデータで多くの切り出し拡大パターンのサムネール画像を生成することが可能になる。それによって、全ての切り出し拡大パターンのフレームデータを生成、又は記憶する場合と比較して、フレームデータのデータ量を１／３に削減することができるので、フレームデータを記憶するための記憶領域の節約が可能になるとともに、フレームデータを生成する処理時間を短縮することができる。  
また、画像データの縦横比と記録を実行しようとしている被記録材の縦横比とが一致しない場合には、被記録材の縦横比を優先して画像データをトリミングして記録を実行するか（トリミングＯＮ）、画像データの縦横比を優先してトリミングせずに記録を実行するかを選択することができるのが通常である。トリミングＯＮとトリミングＯＦＦとを相互に切り換えると、サムネール画像の切り出し拡大領域が変化して、被記録材に対する記録実行領域が変更されることになるが、そのような場合でも複雑な線描画の演算等を行うことなく正確な切り出し拡大パターンのサムネール画像を生成することができる。
【００２５】
本発明の第１０の態様は、前述した第５の態様〜第９の態様のいずれかにおいて、前記サムネール画像シート記録データ生成手段は、前記記憶媒体に格納されている画像記録データの中から選択された画像記録データに縮小画像が含まれているか否かを判定し、縮小画像が含まれている場合には、画像記録データに含まれている縮小画像の縦横比と画像記録データの本画像の縦横比とが一致しているか否かを判定し、縦横比が略一致している場合には、画像記録データに含まれている縮小画像から前記サムネール画像を生成し、画像記録データに縮小画像が含まれていない場合、或いは、画像記録データに含まれている縮小画像の縦横比と画像記録データの本画像の縦横比とが一致しない場合には、画像記録データの本画像から縮小画像を生成し、生成した縮小画像から前記サムネール画像を生成する、ことを特徴とした記録装置である。
【００２６】
例えば、Ｅｘｉｆ規格等のデジタルカメラで撮影した画像データには、本画像や各種記録情報に加えて本画像を縮小した縮小画像（一般的にサムネールと呼ばれる）が含まれているが、その縮小画像について詳細な規定まではされていない場合もある。そのため、同じ規格のファイル形式の画像データであっても縮小画像が含まれていなかったり、縮小画像の縦横比や向きが本画像と一致していなかったりする場合もある。そこで、このように、選択された画像記録データにＥｘｉｆ規格等に基づく縮小画像が含まれているか否かを判定し、Ｅｘｉｆ規格等に基づく縮小画像が含まれている場合には、画像記録データに含まれているＥｘｉｆ規格等に基づく縮小画像の縦横比と画像記録データの本画像の縦横比とが一致しているかを判定して、縦横比が略一致している場合には、画像記録データに含まれているＥｘｉｆ規格等に基づく縮小画像からサムネール画像を生成する。一方、画像記録データにＥｘｉｆ規格等に基づく縮小画像が含まれていない場合、或いは、画像記録データに含まれているＥｘｉｆ規格等に基づく縮小画像の縦横比と画像記録データの本画像の縦横比とが一致しない場合には、画像記録データの本画像から縮小画像を生成して、生成した縮小画像からサムネール画像を生成するようにする。それによって、本画像の縦横比とサムネール画像の縦横比とを正確に一致させつつ、多くの処理時間を要する本画像から縮小画像を生成する手順を最小限にして画像生成の処理負荷を低減することができるので、サムネール画像シートの記録実行時間を短縮することができる。
【００２７】
本発明の第１１の態様は、前述した第１の態様〜第１０の態様のいずれかにおいて、前記制御装置は、前記記憶媒体に格納されている画像記録データの中から選択された画像記録データに含まれる色空間指定情報に基づいて、前記画像処理手段に対して指定する色空間テーブルデータを選択する色空間選択手段を有している、ことを特徴とした記録装置である。
【００２８】
このように、選択された画像記録データに含まれる色空間指定情報に基づいて、画像処理手段に対して指定する色空間テーブルデータを選択することができるようにすることによって、設定入力手段によって記憶媒体に格納されている画像記録データの中から異なる色空間指定情報を有する複数の画像記録データを選択して記録を実行した場合でも画像記録データ毎に最適な画像処理が施された記録を実行することができる。
【発明を実施するための最良の形態】
【００２９】
以下、本発明の実施の形態を図面に基づいて説明する。まず、本発明に係るインクジェット式記録装置について説明する。  
図１は、本発明に係るインクジェット式記録装置の外観斜視図である。
【００３０】
本発明に係る「記録装置」としてのインクジェット式記録装置５０は、後部に配置された給紙トレイ５７に積重された「被記録材」としての記録紙Ｐに記録が実行されて、前面に配置された排紙トレイ５８へ記録実行済みの記録紙Ｐが排出される構成を有している。また、インクジェット式記録装置５０の上面には、画像が記録されている被記録材の画像記録面を走査して画像を入力する「画像入力装置」としてのスキャナ５９が配設されている。さらに、インクジェット式記録装置５０は、前面に「設定入力手段」としての操作パネル１０２、操作パネル１０２の操作をユーザに表示するために操作パネル１０２に配設された液晶ディスプレイ等による操作表示部１０９、及び「記録データ入力手段」としてのメモリカードスロット２２を備えている。
【００３１】
図２は、インクジェット式記録装置５０の概略平面図であり、図３は、インクジェット式記録装置５０の概略側面図である。  
インクジェット式記録装置５０には、記録紙Ｐに対して主走査動作を行う「主走査駆動手段」として、キャリッジガイド軸５１に軸支され、主走査方向Ｘに移動するキャリッジ６１が設けられている。キャリッジ６１には、記録紙Ｐにインクを噴射して記録を行う記録ヘッド６２が搭載されている。記録ヘッド６２と対向して、記録ヘッド６２のヘッド面と記録紙Ｐとのギャップを規定するプラテン５２が設けられている。また、キャリッジ６１とプラテン５２の間に記録紙Ｐを所定の搬送量で副走査方向Ｙへ搬送する「副走査駆動手段」として、搬送駆動ローラ５３と搬送従動ローラ５４が設けられている。搬送駆動ローラ５３は、ステッピング・モータ等の図示していない搬送駆動用モータの回転駆動力が伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の表面には、高摩擦抵抗を有する皮膜が施されている。搬送従動ローラ５４によって、搬送駆動ローラ５３の表面に押しつけられた記録紙Ｐは、その表面の摩擦抵抗によって搬送駆動ローラ５３の表面に密着し、搬送駆動ローラ５３の回転によって副走査方向Ｙに搬送される。
【００３２】
給紙トレイ５７には、例えば、普通紙やフォト紙等の記録紙Ｐを給紙可能な構成となっており、搬送駆動ローラ５３及び搬送従動ローラ５４へ向けて記録紙Ｐを自動給紙する給紙手段としてのＡＳＦ（オート・シート・フィーダー）が設けられている。ＡＳＦは、給紙トレイ５７に設けられた２つの給紙ローラ５７ｂ及び図示してない分離パッドを有する自動給紙機構である。この２つの給紙ローラ５７ｂの１つは、給紙トレイ５７の一方側に配置され、もう１つの給紙ローラ５７ｂは、記録紙ガイド５７ａに取り付けられており、図示していない搬送駆動用モータの回転駆動力が伝達されて回転する。記録紙ガイド５７ａは、記録紙Ｐの幅に合わせて幅方向に摺動可能に給紙トレイ５７に設けられている。そして、給紙ローラ５７ｂの回転駆動力と、分離パッドの摩擦抵抗とにより、給紙トレイ５７に置かれた複数の記録紙Ｐを給紙する際に、複数の記録紙Ｐが一度に給紙されることなく１枚ずつ正確に搬送駆動ローラ５３及び搬送従動ローラ５４へ向けて自動給紙される。記録された記録紙Ｐを排紙する手段としては、排紙駆動ローラ５５と排紙従動ローラ５６が設けられている。排紙駆動ローラ５５は、ステッピング・モータ等の回転駆動力により回転制御され、排紙駆動ローラ５５の回転により、記録紙Ｐは副走査方向Ｙに排紙される。排紙従動ローラ５６は、周囲に複数の歯を有し、各歯の先端が記録紙Ｐの記録面に点接触するように鋭角的に尖っている歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。
【００３３】
給紙ローラ５７ｂと搬送駆動ローラ５３との間には、記録紙Ｐの副走査方向Ｙの端部を検出する「副走査方向端部検出手段」としての紙検出器６３が配設されている。紙検出器６３は、立位姿勢への自己復帰習性が付与され、かつ記録紙Ｐの搬送方向である副走査方向Ｙへのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である。このような構成を成す紙検出器６３は、記録紙Ｐの始端位置及び終端位置（副走査方向Ｙの両端部）を検出する。
【００３４】
「制御装置」としての制御部１００は、光学式センサ６４にて検出した記録紙Ｐの主走査方向Ｘの両端部位置、及び紙検出器６３にて検出した記録紙Ｐの副走査方向Ｙの両端部位置に基づいて記録紙Ｐに対する記録実行領域を決定し、記録ヘッド６２を駆動するヘッド駆動手段（図示せず）、図示していないキャリッジ駆動用モータによるキャリッジ６１の主走査方向Ｘへの往復動作、及び図示していない搬送駆動用モータによる搬送駆動ローラ５３の回転量を制御して、キャリッジ６１を主走査方向Ｘへ往復動させながら記録データに基づいて、記録実行領域に記録ヘッド６２からインクを噴射してドットを形成する動作と、搬送駆動ローラ５３の駆動回転によって所定の搬送量にて記録紙Ｐを副走査方向Ｙへ搬送する動作とを交互に繰り返して記録紙Ｐへの記録を実行する。
【００３５】
図４は、インクジェット式記録装置５０の機能ブロック図である。  
「記録データ」としての画像データを外部から入力する「記録データ入力手段」としてのメモリスロット２２にメモリカード２１が装着され、メモリカード２１から読み出された複数の画像データが記録データ格納手段１０１によって「記憶媒体」としてのＲＡＭ２３へ格納される。或いは、ＵＳＢコネクタ１０６を介してＵＳＢホストインタフェース１０７に接続されるデジタルカメラ等のＵＳＢデバイスから入力した画像データが記録データ格納手段１０１によってＲＡＭ２３へ格納される。ＲＡＭ２３へ格納された複数の画像データからサムネール画像シートＰＳを作成するためのサムネール画像シート記録データがサムネール画像シート記録データ生成手段１０３にて生成される。
【００３６】
生成されたサムネール画像シート記録データに基づいて、前述した「主走査駆動手段」及び「副走査駆動手段」により構成される記録実行手段５０１によって記録紙Ｐへの記録が実行され、サムネール画像シートＰＳが作成される。サムネール画像シートは、ＲＡＭ２３に格納されている画像データの中から選択された画像データの画像全体の一部を切り出し拡大して記録紙Ｐへ記録した場合の切り出し位置及び拡大率が異なる複数のサムネール画像が所定の様式で配置されて記録されている。各サムネール画像には、操作パネルから入力可能な識別情報として識別番号が付されて記録されている。サムネール画像シートＰＳの様式については後述する。
【００３７】
ユーザは、サムネール画像シートＰＳ中から所望の切り出し拡大範囲のサムネール画像を選択し、そのサムネール画像に付されている識別番号を設定入力パネル１０２から入力して記録を実行する。切り出し拡大手段１０５は、設定入力パネル１０２から入力された識別番号から切り出し拡大パターンを設定して画像処理手段１０４へ転送し、画像処理手段１０４は、その切り出し拡大パターンにて、ＲＡＭ２３に格納されている選択された画像データの切り出し拡大処理を実行して記録データを生成する。生成された記録データに基づいて、前述した「主走査駆動手段」及び「副走査駆動手段」により構成される記録実行手段５０１によって記録紙Ｐへの記録が実行される。
【００３８】
また、サムネール画像シートＰＳの様式としては、複数のサムネール画像の中から任意の切り出し拡大パターンを選択可能なマーキングエリアを設けて、ユーザが所望の切り出し拡大パターンに対応したマーキングを行い、マーキング後のサムネール画像シートＰＳをスキャナ５０２に読み取ってユーザが選択した拡大きりだしパターンを識別して記録を実行するようにしても良い。マーキング後のサムネール画像シートＰＳをスキャナ５０２で読み取り、マーキング状態検出手段１０８は、読み取ったサムネール画像シートＰＳのマーキング状態からユーザが選択した切り出し拡大パターンを設定して画像処理手段１０４へ転送し、画像処理手段１０４は、その切り出し拡大パターンにて、ＲＡＭ２３に格納されている選択された画像データの切り出し拡大処理を実行して記録データを生成する。生成された記録データに基づいて、前述した「主走査駆動手段」及び「副走査駆動手段」により構成される記録実行手段５０１によって記録紙Ｐへの記録が実行される。
【００３９】
つづいて、制御部１００による記録制御手順について説明する。  
当該実施例においては、制御部１００は、マイクロコンピュータを有するマイコン制御装置として構成され、マイクロコンピュータにて本発明に係る「記録制御プログラム」を実行することで制御部１００の制御機能が実現される。以下、本発明に係る「記録制御プログラム」による記録制御手順について説明する。
【００４０】
図５は、操作パネル１０２からの操作によって記録を実行する手順を示したフローチャートである。  
まず、操作パネル１０２からの設定入力を受け付ける（ステップＳ１）。具体的には、記録モードを選択する操作と、メモリカード２１又はＲＡＭ２３に格納されている画像データの中から記録を実行する画像データを選択する操作とを操作表示部１０９（図１を参照）の表示でユーザに対して要求する。つづいて、操作パネル１０２の操作による記録実行要求があるか否かを判定し（ステップＳ２）、記録実行要求が無ければ（ステップＳ２でＮｏ）、ステップＳ１へ戻る。操作パネル１０２の操作による記録実行要求があった場合には（ステップＳ２でＹｅｓ）、設定されている記録モードがサムネール画像シートＰＳを作成するモードか否かを判定する（ステップＳ３）。記録モードがサムメール画像シートＰＳを作成する記録モードでない場合には（ステップＳ３でＮｏ）、その設定された記録モードによる記録実行シーケンスへ移行し、記録モードがサムメール画像シートＰＳを作成する記録モードである場合には（ステップＳ３でＹｅｓ）、サムネール画像シートＰＳを作成して記録を実行するサムネール画像シート記録手順を実行する。
【００４１】
図６は、サムネール画像シート記録手順を示したフローチャートである。尚、当該手順は、所望の切り出し拡大パターンを操作パネル１０２から入力する場合の手順である。  
操作パネル１０２にて選択された画像データのサムネール画像シートＰＳを作成した後（ステップＳ１１）、操作パネル１０２からの設定入力を受け付ける（ステップＳ１２）。具体的には、サムネール画像シートＰＳに記録された複数のサムネール画像の中から所望の切り出し拡大パターンを選択して、その選択した切り出し拡大パターンの識別番号を操作パネル１０２から入力する操作と、記録を実行する枚数の設定入力操作とを操作パネル１０２に配設された操作表示部１０９の表示でユーザに対して要求する。つづいて、操作パネル１０２の操作による記録実行要求があるか否かを判定し（ステップＳ１３）、記録実行要求が無ければ（ステップＳ１３でＮｏ）、ステップＳ１２へ戻る。操作パネル１０２の操作による記録実行要求があった場合には（ステップＳ１３でＹｅｓ）、選択された切り出し拡大パターン及び指定された枚数で画像データの記録を実行する（ステップＳ１４）。
【００４２】
図７は、切り出し拡大処理手段１０５における切り出し拡大処理手順を示したフローチャートであり、図８は、画像処理手段１０４における画像処理手順を示したフローチャートである。  
切り出し拡大処理手段１０５は、操作パネル１０２から入力された画像データ番号と、切り出し拡大パターンの識別番号とを取得し（ステップＳ２１）、取得した画像データの番号と、切り出し拡大パターンの識別番号に基づく切り出し範囲の設定を画像処理手段に対して指定する（ステップＳ２２）。画像処理手段１０４は、切り出し拡大処理手段１０４から指定された画像データ番号と、その画像データの切り出し範囲の設定を取得し（ステップＳ３１）、画像データ及び切り出し範囲設定からオブジェクトを生成する（ステップＳ３２）。展開ドットデータ毎に関連するオブジェクトを検索し、データを展開合成して（ステップＳ３３）、記録データを記録ヘッド６２へ送信する（ステップＳ３４）。そして、全オブジェクトの処理が終了したか否かを判定し（ステップＳ３５）、全オブジェクトの処理が終了していなければ（ステップＳ３５でＮｏ）、ステップＳ３３へ戻り、全オブジェクトの処理が終了した時点で（ステップＳ３５でＹｅｓ）、当該手順を終了する。
【００４３】
つづいて、サムネール画像シートＰＳについて説明する。  
図９は、サムネール画像シートＰＳを模式的に示した平面図である。図１０は、選択した切り出し拡大パターンで記録を実行した結果を模式的に示したものである。  
当該実施例においては、サムネール画像シートＰＳには、９つのサムネール画像ＳＭが等間隔に配置されて記録されている。各サムネール画像ＳＭは、選択された画像データの縮小画像に切り出し範囲を示す切り出し線ＣＡがサムネール画像ＳＭ毎に異なる切り出し拡大パターンで付加されており、切り出し線ＣＡ毎に識別番号Ａ１〜Ａ１８が付されている。当該実施例においては、インクジェット式記録装置５０にて実行可能な画像の拡大記録は、１．２倍、又は１．５倍となっている。サムネール画像シートＰＳは、拡大率を１．２倍とした場合と１．５倍とした場合との切り出し線ＣＡが１つのサムネール画像ＳＭに付加されており、インクジェット式記録装置５０にて記録実行可能な全ての切り出し拡大パターンが記録されている。それによって、異なる拡大率を同時に見ながら比較検討することができるので、より的確に所望の拡大率の選択が可能になる。
【００４４】
また、設定可能な全ての切り出し拡大パターンを同時に目で確認しながらユーザが所望の切り出し拡大パターンを選択することができる。奇数の識別番号が付されている切り出し線ＣＡは、拡大率が１．５倍とした場合の切り出し範囲、偶数の識別番号が付されている切り出し線ＣＡは、拡大率が１．２倍の切り出し範囲となっている。
【００４５】
識別番号Ａ１とＡ２の切り出し線ＣＡは、画像の向かって左上から切り出し範囲が設定されている。識別番号Ａ３とＡ４の切り出し線ＣＡは、画像の向かって左中から切り出し範囲が設定されている。識別番号Ａ５とＡ６の切り出し線ＣＡは、画像の向かって左下から切り出し範囲が設定されている。識別番号Ａ７とＡ８の切り出し線ＣＡは、画像の向かって中上から切り出し範囲が設定されている。識別番号Ａ９とＡ１０の切り出し線ＣＡは、画像の中心から切り出し範囲が設定されている。識別番号Ａ１１とＡ１２の切り出し線ＣＡは、画像の向かって中下から切り出し範囲が設定されている。識別番号Ａ１３とＡ１４の切り出し線ＣＡは、画像の向かって右上から切り出し範囲が設定されている。識別番号Ａ１５とＡ１６の切り出し線ＣＡは、画像の向かって右中から切り出し範囲が設定されている。識別番号Ａ１７とＡ１８の切り出し線ＣＡは、画像の向かって右下から切り出し範囲が設定されている。ユーザは、識別番号Ａ１〜Ａ１８で示された１８通りの切り出し拡大パターンの中からの所望の切り出し拡大パターンを選択し、その識別番号を操作パネル１０２から入力して記録を実行する。例えば、識別番号Ａ１の切り出し線ＣＡによる切り出し拡大パターン（拡大率１．５倍、切り出し範囲が左上から）を選択して記録紙Ｐへ記録を実行した場合の記録実行結果は、図１０に示した通りとなる。
【００４６】
このようにして、ユーザがサムネール画像シートＰＳの複数のサムネール画像ＳＭを同時に目で確認しながら比較検討して所望の切り出し拡大パターンを選択して記録を実行することができるので、液晶表示部等のプレビュー装置をインクジェット式記録装置５０に設けることなく、容易かつ確実にユーザが所望する切り出し範囲で拡大したデジタル画像のダイレクトプリントを実行することができる。また、サムネール画像シートＰＳは、選択された画像データを縮小しただけの画像を切り出し拡大パターンの数だけ複製して所定の様式で配置し、各サムネール画像ＳＭに切り出し範囲を示す切り出し線ＣＡをサムネール画像ＳＭ毎に異なる切り出し拡大パターンで付加するだけなので、切り出し拡大パターン毎に画像データを切り出し拡大処理してから縮小してサムネール画像データを生成する必要がない。したがって、サムネール画像シートＰＳの記録データの生成を単純かつ容易にすることができる。
【００４７】
つづいて、サムネール画像シートＰＳに複数のサムネール画像ＳＭの中から任意の切り出し拡大パターンを選択可能なマーキングエリアを設けて、ユーザが所望の切り出し拡大パターンに対応したマーキングを行い、マーキング後のサムネール画像シートＰＳをスキャナ５０２に読み取ってユーザが選択した拡大きりだしパターンを識別して記録を実行するようにした場合について説明する。
【００４８】
図１１は、マーキングエリアを設けたサムネール画像シートＰＳを模式的に示した平面図である。  
サムネール画像シートＰＳには、９つのサムネール画像ＳＭと、マーキングエリアＭＡが記録されている。９つのサムネール画像ＳＭは、図１０に示したサムネール画像シートＰＳと同じなので説明は省略する。マーキングエリアＭＡには、識別番号Ａ１〜Ａ１８で示された切り出し拡大パターンの中から任意の切り出し拡大パターンを選択してその識別番号を指定するための切り出し拡大パターン選択エリアＳと、指定した切り出し拡大パターンで記録を実行する枚数を設定するための記録実行枚数設定エリアＮとが設けられている。
【００４９】
図１２は、マーキングエリアＭＡの切り出し拡大パターン選択エリアＳを模式的に示したものである。  
図１２（ａ）は、識別番号Ａ１〜Ａ１８に対応したマーキング枠Ｍ（番号１〜１８）を設けた実施例であり、所望の識別番号に対応したマーキング枠Ｍ（例えば番号１１のマーキング枠Ｍ）をマーキングすることによって、識別番号Ａ１１に対応した切り出し拡大パターンを選択することができるようになっている。また、図１２（ｂ）は、識別番号Ａ１〜Ａ１８に対応したマーキング枠Ｍ（番号１〜１８）を設けるとともに、番号１〜１８のマーキング枠Ｍのそれぞれに対応したキャンセル用のマーキング枠Ｍを設けた実施例である。例えば、ユーザが識別番号Ａ２に対応した拡大切り出しパターンを選択して番号２のマーキング枠Ｍを塗りつぶしてしまった後に、識別番号Ａ１７に対応した切り出し拡大パターンに変更したくなった場合には、番号２のマーキング枠Ｍに対応したキャンセル用のマーキング枠Ｍを塗りつぶして番号２のマーキング枠Ｍの選択を無効にすることができる。そして、識別番号Ａ１７に対応した番号１７のマーキング枠Ｍをマーキングすることによって、所望の識別番号Ａ１７に対応した切り出し拡大パターンを指定することができる。それによって、マーキング枠Ｍのマーキング後に切り出し拡大パターンを変更する際にサムネール画像シートＰＳを再作成することなく切り出し拡大パターンの指定の変更を行うことが可能になる。
【００５０】
図１３は、マーキングエリアＭＡの記録実行枚数設定エリアＮを模式的に示したものである。  
図１３（ａ）は、記録を実行する枚数に対応したマーキング枠Ｍを設けた実施例であり、記録を実行する枚数の数字に対応したマーキング枠Ｍをマーキングすることによって所望の枚数の記録を実行することができる。図１３（ｂ）は、マーキングしたマーキング枠Ｍに対応した数字の合計数が記録実行枚数となるようにマーキングするようにした実施例である。例えば、数字２と数字１６に対応したマーキング枠Ｍをマーキングすると、記録を実行する枚数が２枚に１６枚を加算した１８枚となる。図１３（ｃ）は、一の位と十の位とのマーキング枠Ｍを設けた実施例であり、例えば、数字３と数字２０に対応したマーキング枠Ｍをマーキングすることによって、記録を実行する枚数が２３枚に設定されることになる。
【００５１】
図１４は、マーキングエリアＭＡの記録実行枚数設定エリアＮを模式的に示したものであり、枚数を指定するマーキング枠Ｍに対してそのマーキングを無効にすることができるようにした態様を図示したものである。例えば、切り出し拡大パターンの識別番号Ａ１〜Ａ１８毎に記録実行枚数設定エリアＮを設けたような場合には、異なる切り出し拡大パターンで複数パターン、それぞれ異なる枚数だけ記録を実行することが１枚のサムネール画像シートＰＳで同時に設定することができる。そして、識別番号毎に枚数指定、及びキャンセルが可能になり、マーキング枠Ｍのマーキング後に切り出し拡大パターンを変更する際にサムネール画像シートＰＳを再作成することなく切り出し拡大パターンの指定の変更を行うことが可能になる。
【００５２】
図１４（ａ）は、記録を実行する枚数に対応したマーキング枠Ｍに加えてキャンセル用のマーキング枠Ｍを設けた実施例であり、キャンセル用のマーキング枠Ｍをマーキングすることによって、記録を実行する枚数を指定したマーキングを無効にすることができる。
【００５３】
図１４（ｂ）は、記録を実行する枚数に対応したマーキング枠Ｍを２カ所以上マーキングすることによって、その記録実行枚数設定エリアＮのマーキングによる記録実行枚数指定を無効とするようにしたものであり、図示の如く２カ所のマーキング枠Ｍをマーキングすることによって、記録を実行する枚数の指定が０枚となる。
【００５４】
図１４（ｃ）は、記録実行枚数設定エリアＮ内のマーキング枠Ｍが全てマーキングされている場合には、記録実行枚数を０とすることができるようにしたものである。例えば、記録実行枚数設定エリアＮの複数のマーキング枠Ｍをマーキングして記録を実行する枚数を指定する構成の記録実行枚数設定エリアＮにおいては、記録実行枚数設定エリアＮ内の全てのマーキング枠Ｍをマーキングすることで記録実行枚数設定エリアＮのマーキング枠Ｍのマーキングによって指定された記録実行枚数が０になるようにすることで、記録実行枚数設定エリアＮのマーキングを無効にすることが可能になる。
【００５５】
つづいて、ユーザによるマーキング後のサムネール画像シートＰＳをスキャナ５０２でスキャンして、サムネール画像シートＰＳのマーキングエリアＭＡのマーキング状態を検出して記録を実行する手順について説明する。
【００５６】
図１５は、マーキング状態検出手段１０８におけるマーキング状態の解析手順を示したフローチャートである。  
サムネール画像シートＰＳ上の全てのマーキング枠Ｍにマーキング解析のためのシーケンス番号（０を初期値とした整数値）をあらかじめマーキング枠番号として設定しておく。つまり、マーキング枠番号によってサムネール画像シートＰＳ上の各マーキング枠Ｍの位置が特定できるようにしておく。まず、切り出し拡大パターンの識別番号、及び記録実行枚数を０に初期設定する（ステップＳ４１）。つづいて、マーキング状態を検出するマーキング枠Ｍのマーキング枠番号を０に設定して（ステップＳ４２）、マーキング枠Ｍのマーキングの有無を検出する（ステップＳ４３）。マーキング枠Ｍにマーキングがされている場合には（ステップＳ４３でＹｅｓ）、そのマーキング枠Ｍが切り出し拡大パターンの識別番号を設定するマーキング枠Ｍである場合には、マーキングされているマーキング枠Ｍに対応した識別番号を設定し、記録実行枚数を設定するマーキング枠Ｍである場合には、マーキングされているマーキング枠Ｍに対応した記録実行枚数を設定し、キャンセル用のマーキング枠Ｍである場合には、マーキングされているマーキング枠Ｍに応じたキャンセル設定を行い（ステップＳ４４）、つづいて、全てのマーキング枠Ｍのマーキング状態検出が終了したか否かを判定する（ステップＳ４５）。全てのマーキング枠Ｍのマーキング状態検出が終了している場合には（ステップＳ４５でＹｅｓ）、そのまま当該手順を終了し、全てのマーキング枠Ｍのマーキング状態検出が終了していない場合には（ステップＳ４５でＮｏ）、マーキング枠番号をカウントアップし（ステップＳ４６）、ステップＳ４３に戻って残りのマーキング枠Ｍのマーキング状態検出を行う。
【００５７】
一方、マーキング枠Ｍにマーキングがされていない場合には（ステップＳ４３でＮｏ）、そのまま、全てのマーキング枠Ｍのマーキング状態検出が終了したか否かを判定し（ステップＳ４５）、全てのマーキング枠Ｍのマーキング状態検出が終了している場合には（ステップＳ４５でＹｅｓ）、そのまま当該手順を終了し、全てのマーキング枠Ｍのマーキング状態検出が終了していない場合には（ステップＳ４５でＮｏ）、マーキング枠番号をカウントアップし（ステップＳ４６）、ステップＳ４３に戻って残りのマーキング枠Ｍのマーキング状態検出を行う。
【００５８】
このようにして、ユーザがサムネール画像シートＰＳの複数のサムネール画像ＳＭから所望の切り出し拡大パターンのサムネール画像ＳＭを選択し、サムネール画像シートＰＳのマーキングエリアＭＡに選択したサムネール画像ＳＭに対応したマーキングを行い、マーキングされたサムネール画像シートＰＳをスキャナ５０２にて入力してマーキングエリアＭＡのマーキング状態を検出する。そして、スキャナ５０２にて検出されたマーキングエリアＭＡのマーキングによって選択されているサムネール画像ＳＭの切り出し拡大パターンにて記録を実行する。それによって、所望の切り出し拡大パターンにて選択した画像データの記録を実行することができる。
【００５９】
したがって、ユーザがサムネール画像シートＰＳの複数のサムネール画像ＳＭを同時に目で確認しながら比較検討して所望の切り出し拡大パターンを選択して記録を実行することができるので、液晶表示部等のプレビュー装置をインクジェット式記録装置５０に設けることなく、容易かつ確実にユーザが所望する切り出し範囲で拡大したデジタル画像のダイレクトプリントを実行することができる。
【００６０】
つづいて、サムネール画像シート記録データ生成手段１０３について図１６〜図１９を参照しながら説明する。
【００６１】
図１６は、サムネール画像シート記録データ生成手段１０３の機能ブロック図である。  
オブジェクト情報生成手段１３１は、サムネール画像シートＰＳのレイアウトを指定するＰＩＦデータと、レイアウト内に配置するサムネール画像ＳＭを指定した画像リストを入力してオブジェクト情報を生成する。オブジェクト情報生成手段１３１にて生成されたオブジェクト情報は、オブジェクト管理手段１３２へ登録される。オブジェクト管理手段１３２に登録されたオブジェクト情報に基づいて、オブジェクト画像生成手段１３３にて選択された画像記録データの縮小画像データ、及びフレームデータが画像生成され、画像合成手段１３４にて縮小画像データとフレームデータとが合成される。
【００６２】
図１７は、フレームデータから画像生成されたフレーム画像を模式的に示したものであり、図１８は、サムネール画像シートＰＳを模式的に示した平面図である。  
フレーム１は、図示の如く左辺と上辺との交点を基点とした切り出し線ＣＡを有しており、画像データと合成することによって、左辺と上辺との交点を基点とした切り出し拡大パターン（識別番号Ａ１とＡ２の切り出し線ＣＡ）のサムネール画像ＳＭを生成することができる。また、フレーム１を９０°回転させて画像データと合成することによって、図示の如く右辺と上辺との交点を基点とした切り出し拡大パターン（識別番号Ａ１３とＡ１４の切り出し線ＣＡ）のサムネール画像ＳＭを生成することができる。さらに、フレーム１を１８０°回転させて画像データと合成することによって、図示の如く右辺と下辺との交点を基点とした切り出し拡大パターン（識別番号Ａ１７とＡ１８の切り出し線ＣＡ）のサムネール画像ＳＭを生成することができる。さらに、フレーム１を２７０°回転させて画像データと合成することによって、図示の如く左辺と下辺との交点を基点とした切り出し拡大パターン（識別番号Ａ５とＡ６の切り出し線ＣＡ）のサムネール画像ＳＭを生成することができる。
【００６３】
フレーム２は、図示の如く上辺の中点を基点とした切り出し線ＣＡを有しており、画像データと合成することによって、上辺の中点を基点とした切り出し拡大パターン（識別番号Ａ７とＡ８の切り出し線ＣＡ）のサムネール画像ＳＭを生成することができる。また、フレーム２を９０°回転させて画像データと合成することによって、図示の如く右辺の中点を基点とした切り出し拡大パターン（識別番号Ａ１５とＡ１６の切り出し線ＣＡ）のサムネール画像ＳＭを生成することができる。さらに、フレーム２を１８０°回転させて画像データと合成することによって、図示の如く下辺の中点を基点とした切り出し拡大パターン（識別番号Ａ１１とＡ１２の切り出し線ＣＡ）のサムネール画像ＳＭを生成することができる。さらに、フレーム２を２７０°回転させて画像データと合成することによって、図示の如く左辺の中点を基点とした切り出し拡大パターン（識別番号Ａ３とＡ４の切り出し線ＣＡ）のサムネール画像ＳＭを生成することができる。  
そして、フレーム３は、図示の如く中心点を基点とした切り出し線ＣＡを有しており、画像データと合成することによって、中心点を基点とした切り出し拡大パターン（識別番号Ａ９とＡ１０の切り出し線ＣＡ）のサムネール画像ＳＭを生成することができる。
【００６４】
図１９は、オブジェクト生成手段１３１におけるオブジェクト生成手順を示したフローチャートである。  
まず、ＰＩＦデータと画像データとを読み込み（ステップＳ５１）、ＰＩＦコマンドを解析して（ステップＳ５２）、オブジェクトを生成する（ステップＳ５３）。つづいて、生成したオブジェクトがフレームオブジェクトか否かを判定する（ステップＳ５４）。フレームオブジェクトである場合には（ステップＳ５４でＹｅｓ）、フレームパラメータを解析し（ステップＳ５５）、解析したフレームパラメータに基づいてフレームの回転角度情報をセットし（ステップＳ５６）、その他セットすべき情報があればセットして（ステップＳ５７）、オブジェクト管理手段へ登録する（ステップＳ５８）。生成したオブジェクトがフレームオブジェクトでない場合には（ステップＳ５４でＮｏ）、つづいて、画像オブジェクトか否かを判定する（ステップＳ６０）。画像オブジェクトである場合には（ステップＳ６０でＹｅｓ）、画像パラメータを解析し（ステップＳ６１）、画像リストを読み込んで（ステップＳ６２）、画像情報をセットし（ステップＳ６３）、オブジェクト管理手段へ登録する（ステップＳ５８）。生成したオブジェクトが画像オブジェクトでない場合には（ステップＳ６０でＮｏ）、つづいて、線オブジェクトか否かを判定する（ステップＳ６４）。線オブジェクトである場合には（ステップＳ６４でＹｅｓ）、線パラメータを解析し（ステップＳ６５）、解析した線パラメータに基づいて線情報をセットし（ステップＳ６６）、オブジェクト管理手段へ登録する（ステップＳ５８）。生成したオブジェクトが線オブジェクトでない場合には（ステップＳ６４でＮｏ）、つづいて、文字オブジェクトか否かを判定する（ステップＳ６７）。文字オブジェクトである場合には（ステップＳ６７でＹｅｓ）、文字パラメータを解析し（ステップＳ６８）、解析した文字パラメータに基づいて文字情報をセットし（ステップＳ６９）、オブジェクト管理手段へ登録する（ステップＳ５８）。生成したオブジェクトが線オブジェクトでない場合（ステップＳ６７でＮｏ）、及び各オブジェクトをオブジェクト管理へ登録した後は、ＰＩＦデータが終了したか否かを判定する（ステップＳ５９）。ＰＩＦデータが終了していなければ（ステップＳ５９でＮｏ）、ステップＳ５１に戻って残りのＰＩＦデータを読み込み、ＰＩＦデータが終了していれば（ステップＳ５９でＹｅｓ）、そのまま当該手順を終了する。
【００６５】
このように、オブジェクト情報を生成するオブジェクト情報生成手段１３１にフレームデータ（フレーム１〜フレーム３）の回転機能を持たせ、縮小画像の縦横比及びサイズに応じてフレームデータの縦横比及びサイズを変更することによって、少ないフレームデータで多くの切り出し拡大パターンのサムネール画像ＳＭを生成することが可能になる。それによって、全ての切り出し拡大パターンのフレームデータを生成、又は記憶する場合と比較して、フレームデータのデータ量を１／３に削減することができるので、フレームデータを記憶するための記憶領域の節約が可能になるとともに、フレームデータを生成する処理時間を短縮することができる。また、画像データの縦横比と記録を実行しようとしている記録紙Ｐの縦横比とが一致しない場合には、記録紙Ｐの縦横比を優先して画像データをトリミングして記録を実行するか（トリミングＯＮ）、画像データの縦横比を優先してトリミングせずに記録を実行するかを選択する際に、サムネール画像ＳＭの切り出し拡大領域が変化して、記録紙Ｐに対する記録実行領域が変更されることになるが、そのような場合でも複雑な線描画の演算等を行うことなく正確な切り出し拡大パターンのサムネール画像ＳＭを生成することができる。
【００６６】
また、本発明の第２実施例としては、上述した第１実施例に加えて、サムネール画像シート記録データ生成手段１０３に画像選択手段を設けたものが挙げられる。以下、図２０及び図２１を参照しながら説明する。
【００６７】
図２０は、サムネール画像シート記録データ生成手段１０３の第２実施例を示した機能ブロック図である。  
オブジェクト情報生成手段１３１は、サムネール画像シートＰＳのレイアウトを指定するＰＩＦデータと、レイアウト内に配置するサムネール画像ＳＭを指定した画像リストを入力してオブジェクト情報を生成する。オブジェクト情報生成手段１３１にて生成されたオブジェクト情報は、オブジェクト管理手段１３２へ登録される。また、画像選択手段１３５は、選択された画像記録データに本画像とともに含まれているＥｘｉｆ規格等に基づく縮小画像をサムネール画像ＳＭに利用できるか否かを判定し、利用できる場合には、その旨をオブジェクト管理手段に登録する。オブジェクト管理手段１３２に登録されたオブジェクト情報に基づいて、オブジェクト画像生成手段１３３にて選択された画像記録データの縮小画像データ、及びフレームデータが画像生成される。その際、選択された画像記録データに含まれているＥｘｉｆ規格等に基づく縮小画像が利用できる場合には、その縮小画像をそのまま利用され、利用できない場合には、本画像から縮小画像が生成されて、画像合成手段１３４にて縮小画像データとフレームデータとが合成される。
【００６８】
図２１は、画像選択手段１３５における画像選択手順を示したフローチャートである。  
まず、選択された画像記録データにＥｘｉｆ規格等に基づく縮小画像が含まれているか否かを判定する（ステップＳ７１）。選択された画像記録データにＥｘｉｆ規格等に基づく縮小画像が含まれていない場合には（ステップＳ７１でＮｏ）、オブジェクト管理手段１３２に対して本画像を指定して当該手順を終了する（ステップＳ７５）。オブジェクト管理手段１３２に対して本画像を指定した場合には、オブジェクト画像生成手段にて本画像から縮小画像が生成されて、本画像から生成された縮小画像が画像合成手段１３４にてフレームデータと画像合成される。一方、選択された画像記録データにＥｘｉｆ規格等に基づく縮小画像が含まれている場合には（ステップＳ７１でＹｅｓ）、つづいて、選択された画像記録データから本画像の縦横サイズ（Ｘ、Ｙ）と、Ｅｘｉｆ規格等に基づく縮小画像の縦横サイズ（Ｘｓ、Ｙｓ）を取得する（ステップＳ７２）。つづいて、取得した本画像の縦横比（Ｘ：Ｙ）と、Ｅｘｉｆ規格等に基づく縮小画像の縦横比（Ｘｓ：Ｙｓ）とが一致するか否かを判定する。具体的には、Ｘ＝Ｘｓ・Ｙ／Ｙｓが成立するか否かを判定する（ステップＳ７３）。尚、完全に一致しなくても記録実行結果に影響が生じない範囲で、許容誤差をもたせるようにしても良い。取得した本画像の縦横比（Ｘ：Ｙ）と、Ｅｘｉｆ規格等に基づく縮小画像の縦横比（Ｘｓ：Ｙｓ）とが一致しない場合には（ステップＳ７３でＮｏ）、Ｅｘｉｆ規格等に基づく縮小画像を利用せずに、オブジェクト管理手段１３２に対して本画像を指定して当該手順を終了する（ステップＳ７５）。そして、取得した本画像の縦横比（Ｘ：Ｙ）と、Ｅｘｉｆ規格等に基づく縮小画像の縦横比（Ｘｓ：Ｙｓ）とが一致する場合には（ステップＳ７３でＹｅｓ）、オブジェクト管理手段１３２に対してＥｘｉｆ規格等に基づく縮小画像を指定して当該手順を終了する（ステップＳ７５）。オブジェクト管理手段１３２に対してＥｘｉｆ規格等に基づく縮小画像を指定した場合には、オブジェクト画像生成手段にてＥｘｉｆ規格等に基づく縮小画像がそのまま利用され、画像合成手段１３４にてフレームデータとＥｘｉｆ規格等に基づく縮小画像とが画像合成される。
【００６９】
このように、選択された画像記録データにＥｘｉｆ規格等に基づく縮小画像が含まれているか否かを判定し、Ｅｘｉｆ規格等に基づく縮小画像が含まれている場合には、画像記録データに含まれているＥｘｉｆ規格等に基づく縮小画像の縦横比と画像記録データの本画像の縦横比とが一致しているかを判定して、縦横比が略一致している場合には、画像記録データに含まれているＥｘｉｆ規格等に基づく縮小画像からサムネール画像ＳＭを生成する。一方、画像記録データにＥｘｉｆ規格等に基づく縮小画像が含まれていない場合、或いは、画像記録データに含まれているＥｘｉｆ規格等に基づく縮小画像の縦横比と画像記録データの本画像の縦横比とが一致しない場合には、画像記録データの本画像から縮小画像を生成して、生成した縮小画像からサムネール画像ＳＭを生成するようにする。それによって、本画像の縦横比とサムネール画像ＳＭの縦横比とを正確に一致させつつ、多くの処理時間を要する本画像から縮小画像を生成する手順を最小限にして画像生成の処理負荷を低減することができるので、サムネール画像シートＰＳの記録実行時間を短縮することができる。
【００７０】
また、本発明の第３実施例としては、上述した第１実施例に加えて、ダイレクトプリントにより記録を実行する画像記録データ毎に記録実行時の色空間テーブルを選択して指定する色空間選択手段を設けたものが挙げられる。以下、図２２及び図２３を参照しながら説明する。
【００７１】
図２２は、インクジェット式記録装置５０の機能ブロックの一部を示した機能ブロック図である。  
メモリカード２１、或いは、ＵＳＢコネクタ１０６を介してＵＳＢホストインタフェース１０７に接続されるデジタルカメラ等のＵＳＢデバイスから入力されてＲＡＭ２３へ格納されている複数の画像記録データの中から操作パネル１０２の操作によって、記録を実行する画像がユーザによって選択され、選択された画像の情報が画像処理手段１０４及び色空間選択手段１１０へ伝達される。色空間選択手段１１０は、操作パネル１０２にて選択された画像の画像記録データに含まれる色空間指定情報を画像処理手段１０４へ伝達し、画像処理手段１０４は、その色空間指定情報に基づいて当該画像記録データの記録実行時に使用する色空間テーブルを選択して画像処理を実行する。
【００７２】
図２３は、色空間選択手段１１０における色空間選択手順を示したフローチャートである。  
まず、操作パネル１０２にて選択された画像記録データに含まれる色空間指定情報を読み取る（ステップＳ８１）。つづいて、その画像記録データに色空間指定情報が含まれているか否かを判定する（ステップＳ８２）。色空間指定情報が含まれている場合には（ステップＳ８２でＹｅｓ）、画像処理手段１０４に色空間指定情報の色空間テーブルを指定する（ステップＳ８３）。一方、色空間指定情報が含まれていない場合には（ステップＳ８２でＮｏ）、画像処理手段１０４に既定の色空間指定情報の色空間テーブルを指定する（ステップＳ８４）。以上の手順を操作パネル１０２にて選択された画像記録データ毎に実行して、画像記録データ毎に画像処理手段１０４に対して色空間テーブルを指定する。このように、選択された画像記録データに含まれる色空間指定情報に基づいて、画像処理手段に対して指定する色空間テーブルデータを選択することができるようにすることによって、操作パネル１０２によってＲＡＭ２３に格納されている画像記録データの中から異なる色空間指定情報を有する複数の画像記録データを選択して記録を実行した場合でも画像記録データ毎に最適な画像処理が施された記録を実行することができる。
【００７３】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００７４】
【図１】本発明に係るインクジェット式記録装置の外観斜視図である。
【図２】本発明に係るインクジェット式記録装置の概略の平面図である。
【図３】本発明に係るインクジェット式記録装置の概略の側面図である。
【図４】本発明に係るインクジェット式記録装置の機能ブロック図である。
【図５】操作パネルの操作による記録実行手順を示したフローチャートである。
【図６】サムネール画像シート記録手順を示したフローチャートである。
【図７】切り出し拡大処理手順を示したフローチャートである。
【図８】画像処理手段における画像処理手順を示したフローチャートである。
【図９】サムネール画像シートを模式的に示した平面図である。
【図１０】選択した切り出し拡大パターンでの記録実行結果を示したものである。
【図１１】マーキングエリアを設けたサムネール画像シートを示した平面図。
【図１２】切り出し拡大パターン選択エリアを模式的に示したものである。
【図１３】記録実行枚数設定エリアを模式的に示したものである。
【図１４】記録実行枚数設定エリアを模式的に示したものである。
【図１５】マーキング状態の解析手順を示したフローチャートである。
【図１６】サムネール画像シート記録データ生成手段の機能ブロック図である。
【図１７】フレームデータから画像生成されたフレーム画像を示したものである。
【図１８】サムネール画像シートを模式的に示した平面図である。
【図１９】オブジェクト生成手順を示したフローチャートである。
【図２０】サムネール画像シート記録データ生成手段の機能ブロック図である。
【図２１】画像選択手段における画像選択手順を示したフローチャートである。
【図２２】インクジェット式記録装置の機能ブロック図である。
【図２３】色空間選択手順を示したフローチャートである。
【符号の説明】
【００７５】
２２  メモリカードスロット、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、６１  キャリッジ、６２  記録ヘッド、６３  紙検出器、１００  制御部、１０２  操作パネル、５０２  スキャナ、ＣＡ  切り出し線、Ｍ  マーキング枠、ＭＡ  マーキングエリア、Ｐ  記録紙、ＰＳ  サムネール画像シート、ＳＭ  サムネール画像、Ｘ  主走査方向、Ｙ  副走査方向
【図１】
2005224944.tif 000003
【図２】
2005224944.tif 000004
【図３】
2005224944.tif 000005
【図４】
2005224944.tif 000006
【図５】
2005224944.tif 000007
【図６】
2005224944.tif 000008
【図７】
2005224944.tif 000009
【図８】
2005224944.tif 000010
【図９】
2005224944.tif 000011
【図１０】
2005224944.tif 000012
【図１１】
2005224944.tif 000013
【図１２】
2005224944.tif 000014
【図１３】
2005224944.tif 000015
【図１４】
2005224944.tif 000016
【図１５】
2005224944.tif 000017
【図１６】
2005224944.tif 000018
【図１７】
2005224944.tif 000019
【図１８】
2005224944.tif 000020
【図１９】
2005224944.tif 000021
【図２０】
2005224944.tif 000022
【図２１】
2005224944.tif 000023
【図２２】
2005224944.tif 000024
【図２３】
2005224944.tif 000025